(57)【要約】  患者への医薬組成物の投与のための投与システムは、一回分の服用量の医薬組成物を患者へ投与するように構成された投与装置と、投与装置と情報をやりとりする通知装置と、を有している。通知装置は、投与装置の少なくとも一つの特性の状態に関する情報を伝えるように構成されている。投与装置は、患者の皮膚に身に着けられるように構成されたウェアラブル自動インジェクタである。本開示の投与装置は、ユーザまたは患者が、容器の状態を視認することを可能にする。たとえば本開示の投与装置は、充填確認および吐出確認を表示するシンプルで有効な視覚的手段を提供する。
2020527420.tif 000002
【特許請求の範囲】
【請求項１】
一回分の服用量の薬剤を患者に投与するように構成された投与装置であって、
ビューイングウィンドウを含むハウジングと、
前記ハウジング内に配置され、および前記薬剤を中に収容するためのフレキシブル容器と、
前記ビューイングウィンドウの一部と位置合わせされた視覚的識別部であって、前記視覚的識別部の前記ビューイングウィンドウに対する位置が、前記容器内の前記薬剤の容積に依存する視覚的識別部と、を有する投与装置と、
前記投与装置と情報をやりとりする通知装置であって、前記投与装置の少なくとも一つの特性の状態に関する情報を伝えるように構成されている通知装置と、を備える投与装置。
【請求項２】
前記視覚的識別部は、前記容器が空である空位置と、前記容器が満たされている満位置と、の間で前記ビューイングウィンドウに対して移動可能である請求項１に記載の投与装置。
【請求項３】
前記視覚的識別部は、前記容器の一部に取り付け可能になっているコネクタを有する請求項２に記載の投与装置。
【請求項４】
前記コネクタは、前記容器の密封縁部に取り付け可能である請求項３に記載の投与装置。
【請求項５】
前記コネクタは、インジケータクリップを備える請求項３に記載の投与装置。
【請求項６】
前記視覚的識別部は、前記ハウジング内の、前記容器と変形可能材料との間に設けられる請求項２に記載の投与装置。
【請求項７】
前記容器に前記薬剤が充填されるにつれて、前記容器が膨張して、前記視覚的識別部を下方へ移動させ、それによって前記変形可能材料を圧縮する請求項６に記載の投与装置。
【請求項８】
前記容器が前記薬剤を吐出するにつれて、前記容器が収縮して、前記変形可能材料が膨張し、それによって前記視覚的識別部を上方へ移動させる請求項７に記載の投与装置。
【請求項９】
前記変形可能材料は発泡材料を含む請求項６に記載の投与装置。
【請求項１０】
前記視覚的識別部は偏向可能部材を含む請求項２に記載の投与装置。
【請求項１１】
前記容器に前記薬剤が充填されるにつれて、前記容器が膨張して、前記偏向可能部材の一端を下方へ偏向させる請求項１０に記載の投与装置。
【請求項１２】
前記容器が前記薬剤を吐出するにつれて、前記容器が収縮して、前記偏向可能部材の前記一端がその元の位置へ戻る請求項１１に記載の投与装置。
【請求項１３】
前記ハウジングは、前記ビューイングウィンドウに隣接して充填インジケータディスプレイを備える請求項１に記載の投与装置。
【請求項１４】
前記視覚的識別部は、前記容器内の薬剤の量を識別するために、前記充填インジケータディスプレイの一部と位置合わせされる請求項１３に記載の投与装置。
【請求項１５】
前記容器は貯蔵バッグであり、前記視覚的識別部は、前記貯蔵バッグの一部である請求項１に記載の投与装置。
【請求項１６】
前記ビューイングウィンドウは、前記ハウジングの側壁に配設される請求項１に記載の投与装置。
【請求項１７】
前記投与装置は、前記患者の皮膚の表面に取外し可能に取り付け可能なウェアラブル自動インジェクタである請求項１に記載の投与装置。
【請求項１８】
前記投与装置は、前記投与装置の状態を前記患者に知らせるための少なくとも一つのインジケータを含む請求項１７に記載の投与装置。
【請求項１９】
前記通知装置はリストバンドである請求項１に記載の投与装置。
【請求項２０】
前記通知装置は、前記投与装置と受動的に一方向で情報をやりとりし、前記通知装置は、前記投与装置の少なくとも一つの特性の状態を表示する請求項１に記載の投与装置。
【請求項２１】
患者への医薬組成物の投与のための投与システムであって、
一回分の服用量の前記医薬組成物を前記患者に投与するように構成された投与装置と、
前記投与装置と情報をやりとりする通知装置であって、前記投与装置の少なくとも一つの特性の状態に関する情報を伝えるように構成された通知装置と、を備え、
前記通知装置は、前記投与装置と受動的に一方向で情報をやりとりし、
前記通知装置は、前記投与装置の少なくとも一つの特性の状態を表示する投与システム。
【請求項２２】
前記投与装置は、前記患者の皮膚に身に着けられるように構成されたウェアラブル自動インジェクタである請求項２１に記載の投与システム。
【請求項２３】
前記通知装置は、少なくとも一つのインジケータを備える請求項２１に記載の投与システム。
【請求項２４】
前記少なくとも一つのインジケータは、視覚的インジケータ、可聴的インジケータ、触感的インジケータ、またはこれらの組合せである請求項２３に記載の投与システム。
【請求項２５】
前記通知装置はリストバンドを含む請求項２１に記載の投与システム。
【請求項２６】
前記投与装置の前記少なくとも一つの特性は、前記投与装置の投与状態を含む請求項２１に記載の投与システム。
【請求項２７】
前記投与装置は、薬剤を中に収容するように構成された貯蔵バッグを含む請求項２１に記載の投与システム。
【請求項２８】
前記貯蔵バッグは視覚的識別部を含む請求項２７に記載の投与システム。
【請求項２９】
前記投与装置が充填インジケータディスプレイをさらに含み、前記貯蔵バッグの前記視覚的識別部は、前記貯蔵バッグ内に配置された薬剤の容量に依存して、前記充填インジケータディスプレイの一部と位置合わせされるように構成される請求項２８に記載の投与システム。
【請求項３０】
前記投与装置は、前記投与装置の状態をユーザに知らせることが可能な少なくとも一つのインジケータをさらに含む請求項２１に記載の投与システム。
【請求項３１】
前記少なくとも一つのインジケータはＬＥＤである請求項３０に記載の投与システム。
【発明の詳細な説明】
【技術分野】
【０００１】
本出願は、２０１７年７月１８日に出願された「医療機器の状態を知らせるための通知装置」というタイトルの米国仮出願特許第６２／５３３９５４号に対する優先権を主張するものであり、また、本出願は、２０１７年９月１５日に出願された「医療機器の状態を知らせるための通知装置」というタイトルの米国特許仮出願第６２／５５９０５１号に対しても優先権を主張するものであり、また、本出願は、２０１８年２月６日に出願された「投与システム、投与装置、および医療機器の状態を知らせるための通知装置」というタイトルの米国特許仮出願第６２／６２６９３５号に対しても優先権を主張するものであり、これらの各々の開示全体は、参照によって本願明細書に組み込まれたものとする。
【０００２】
本出願は、一般に、医薬組成物の患者への投与のための機器、システムおよび方法に関する。より具体的には、本開示は、自動インジェクタを用いた医薬組成物の患者への投与のための装置、システムおよび方法に関し、および自動インジェクタの少なくとも一つの特性を知らせるための通知装置に関し、および患者が、充填確認および／または投与確認を表示する視覚手段などの容器の状態を見ることを可能にする機器に関する。
【背景技術】
【０００３】
自動インジェクタなどのウェアラブル医療機器には、診療施設から遠く離れた場所で、および／または患者の衣服の下に個別に身に付けられたままで、患者に治療を施すという利点がある。医師の判断に基づいて、ウェアラブル医療機器を患者の皮膚に適用することができ、および医療機器は、ウェアラブル医療機器を患者の皮膚に適用した後の所定期間内に、たとえば２７時間の遅延時間後に、一回分の服用量の医薬組成物を自動的に投与するように構成できる。当該機器が医薬組成物を患者に対して投与した後、患者は、その後、機器を取り外して廃棄できる。
【０００４】
いくつかのウェアラブル医療機器は、当該機器の少なくとも一つの特性を患者に知らせる能力を有している。たとえばいくつかの機器は、たとえば当該機器が医薬組成物を患者に対して投与しているときに、または投与の処理が完了したときに、直接的な機器上での視覚的な、可聴のまたは触感的なフィードバックを患者に与えて、当該機器の状態に関して患者に報告できる。現存の機器は離散性を与えているが、このことの一つの欠点は、当該機器は、患者の衣服によって、または、患者の体の特定の部位への当該機器の配置によって邪魔されているため、当該機器のいかなる視覚的な、可聴の、または触感的なフィードバックも患者に容易に伝えることができないということである。たとえば当該機器が患者の腕の後ろに配置されている場合、当該機器によって出された通知は可視性を制限し、医療従事者が通知を監視することを要する場合がある。さらに、当該機器が患者の腹部に着用されている場合には、当該機器は、患者の衣服によって邪魔されて、患者の衣服を脱がせることなく容易に点検することができない。
【発明の概要】
【発明が解決しようとする課題】
【０００５】
したがって、当技術分野において、自動インジェクタを用いた患者への医薬組成物の投与に対する必要性、および自動インジェクタの少なくとも一つの特性を知らせるための通知装置に対する必要性がある。
【０００６】
本開示は、自動インジェクタを用いた医薬組成物の患者への投与のための装置、および自動インジェクタの少なくとも一つの特性を知らせるための通知装置、を提供する。
【課題を解決するための手段】
【０００７】
いくつかの実施例において、医薬組成物の患者への投与のための投与システムは、一回分の服用量の医薬組成物を患者へ投与するように構成された投与装置と、投与装置と情報をやりとりする通知装置と、を有していてもよい。通知装置は、投与装置の少なくとも一つの特性の状態に関する情報を伝えるように構成できる。投与装置は、患者の皮膚上に着用されるように構成されたウェアラブル自動インジェクタであってもよい。通知装置は、少なくとも一つのインジケータを有していてもよい。少なくとも一つのインジケータは、視覚的インジケータ、可聴的インジケータ、触感的インジケータ、または、これらの組合せであってもよい。通知装置は、リストバンドであってもよい。投与装置の少なくとも一つの特性は、投与装置による投与状態を含んでもよい。
【０００８】
本発明の実施形態によれば、投与装置は、一回分の服用量の薬剤を患者に投与するように構成されている。投与システムは、ビューイングウィンドウを含むハウジングと、ハウジング内に配置され、薬剤を中に収容するためのフレキシブル容器と、ビューイングウィンドウの一部と位置合わせされた視覚的識別部と、を有する投与装置を含み、この場合、ビューイングウィンドウに対する視覚的識別部の位置は、容器内の薬剤の容積に依存する。投与装置は、投与装置と情報をやりとりする通知装置も含み、通知装置は、投与装置の少なくとも一つの特性の状態に関する情報を伝えるように構成されている。
【０００９】
別の構成においては、視覚的識別部は、容器が空になっている空位置と、容器が満たされている満位置との間で、ビューイングウィンドウに対して移動可能である。視覚的識別部は、容器の一部に取り付け可能になっているコネクタを含んでいてもよい。コネクタは、容器の密封縁部に取り付け可能にすることができ、また、コネクタは、インジケータクリップを含んでいてもよい。
【００１０】
視覚的識別部は、ハウジング内の、容器と変形可能材料との間に配置できる。容器に薬剤が充填されるにつれて、容器が膨張して視覚的識別部を下方へ移動させて、それにより、変形可能材料を圧縮する。容器が薬剤を吐出するにつれて、容器が収縮し、および変形可能材料が膨張し、それにより、視覚的識別部を上方へ移動させる。必要に応じて、変形可能材料は発泡材料から成っている。
【００１１】
いくつかの構成において、視覚的識別部は、偏向可能部材を含んでいる。容器に薬剤が充填されるにつれて、容器が膨張して、偏向可能部材の一端を下方へ偏向させる。容器が薬剤を吐出するにつれて、容器が収縮して、偏向可能部材の一端が、その元の位置へ戻る。ハウジングは、ビューイングウィンドウに隣接して充填インジケータディスプレイを含んでいてもよい。視覚的識別部は、容器内の薬剤の量を識別するために、充填インジケータディスプレイの一部と位置合わせできる。容器は貯蔵バッグであってもよく、また、視覚的識別部は、貯蔵バッグの一部であってもよい。
【００１２】
いくつかの構成において、ビューイングウィンドウは、ハウジングの側壁内に配設されている。投与装置は、患者の皮膚面に移動可能に取り付け可能なウェアラブル自動インジェクタであってもよい。必要に応じて、投与装置は、投与装置の状態を患者に知らせるための少なくとも一つのインジケータを含む。通知装置は、リストバンドであってもよく、また、通知装置は、投与装置と受動的に一方向で情報をやりとりしてもよく、この場合、通知装置は、投与装置の少なくとも一つの特性の状態を表示する。
【００１３】
本発明の別の実施形態によれば、医薬組成物の患者への投与のための投与システムは、一回分の服用量の医薬組成物を患者へ投与するように構成された投与装置と、投与装置と情報をやりとりする通知装置と、を含み、通知装置は、投与装置の少なくとも一つの特性の状態に関する情報を伝えるように構成されている。通知装置は、投与装置と受動的に一方向で情報をやりとりし、また、通知装置は、投与装置の少なくとも一つの特性の状態を表示する。
【００１４】
いくつかの構成において、投与装置は、患者の皮膚に着用されるように構成されたウェアラブル自動インジェクタである。通知装置は、少なくとも一つのインジケータを含んでいてもよい。少なくとも一つのインジケータは、視覚的インジケータ、可聴的インジケータ、触感的インジケータ、またはこれらの組合せであってもよい。必要に応じて、通知装置はリストバンドであり、また、投与装置の少なくとも一つの特性は、投与装置の投与状態を含む。投与装置は、薬剤を中に収容するように構成された貯蔵バッグを含んでもよく、また、貯蔵バッグは、視覚的識別部を含んでいてもよい。さらに、投与装置は、充填インジケータディスプレイを含んでいてもよく、また、貯蔵バッグの視覚的識別部は、貯蔵バッグ内に配置された薬剤の容積に依存して、充填インジケータディスプレイの一部と位置合わせされるように構成されている。必要に応じて、投与装置は、投与装置の状態をユーザに伝えることが可能な少なくとも一つのインジケータをさらに含み、この場合、インジケータはＬＥＤであってもよい。
【００１５】
投与システムおよび投与システムを利用する方法のこれらおよび他の形状構成および特徴は、それらのすべてがこの明細書の一部を構成する添付図面を参照して以下の説明および添付クレームを考慮すれば、より明白になるであろうし、この場合、類似の参照数字は、さまざまな図面における対応する部材を示す。しかし、それらの図面が、単に例示および説明のためのものであることを明確に理解すべきである。
【図面の簡単な説明】
【００１６】
添付図面とともに解釈して開示の実施形態に関する以下の説明を参照すれば、この開示の上述したおよびその他の形状構成および利点、およびそれらを達成する方法は、より明らかになるであろうし、および開示自体は、より良く理解されるであろう。
【００１７】
【図１】本発明の実施形態によるウェアラブル自動インジェクタと、ウェアラブル自動インジェクタとペアリングされている通知装置と、の斜視図
【図２】本発明の実施形態によるウェアラブル自動インジェクタの上部斜視図
【図３】本発明の実施形態によるウェアラブル自動インジェクタの平面図
【図４】本発明の実施形態によるウェアラブル自動インジェクタに用いる通知装置の斜視図
【図５Ａ】本発明の実施形態による、初期の使用前状態を示すウェアラブル自動インジェクタに用いる通知装置のディスプレイの平面図
【図５Ｂ】本発明の実施形態による、初期化後に第一の期間が経過した後の通知の状態を示す、ウェアラブル自動インジェクタに用いる通知装置のディスプレイの平面図
【図５Ｃ】本発明の実施形態による、初期化後に第二の期間が経過した後の通知の状態を示す、ウェアラブル自動インジェクタに用いる通知装置のディスプレイの平面図
【図５Ｄ】本発明の実施形態による、初期化後に第三の期間が経過した後の通知の状態を示す、ウェアラブル自動インジェクタに用いる通知装置のディスプレイの平面図
【図６Ａ】本発明の実施形態による、患者の皮膚への取付けのためにウェアラブル自動インジェクタを準備しているユーザの斜視図
【図６Ｂ】本発明の実施形態による、患者の皮膚への取付けのためにウェアラブル自動インジェクタを準備しているユーザの斜視図
【図６Ｃ】本発明の実施形態による、患者の皮膚に適用し、装置のシグナル伝達を有効化したときの平面図
【図６Ｄ】本発明の実施形態による、作動状態のウェアラブル自動インジェクタの平面図
【図７Ａ】本発明の実施形態によるウェアラブル自動インジェクタおよび通知装置のライフサイクルの概略図
【図７Ｂ】本発明の実施形態によるウェアラブル自動インジェクタおよび通知装置のライフサイクルの概略図
【図８Ａ】本発明の実施形態によるウェアラブル自動インジェクタおよび通知装置のワークフローの概略図
【図８Ｂ】本発明の実施形態によるウェアラブル自動インジェクタおよび通知装置のワークフローの概略図
【図９】本発明の実施形態による、ウェアラブル自動インジェクタと通知装置との間の通信リンクの概略図
【図１０Ａ】本発明の実施形態による、満／空の状態の前の充填インジケータディスプレイを有するウェアラブル自動インジェクタの概略側面図（投与ニードルが、単に装置の図示のために伸長位置で図示され、装置は、充填プロセス中に、伸長した投与ニードルを含んでいなくてもよいことが意図されている。）
【図１０Ｂ】本発明の実施形態による、一部が充填された／投与された状態における充填インジケータディスプレイを有するウェアラブル自動インジェクタの概略側面図（投与ニードルが、単に装置の図示のために伸長位置で図示され、装置は、充填プロセス中に、伸長した投与ニードルを含んでいなくてもよいことが意図されている。）
【図１０Ｃ】本発明の実施形態による、充填状態における充填インジケータディスプレイを有するウェアラブル自動インジェクタの概略側面図であり、（投与ニードルが、単に装置の図示のために伸長位置で図示され、装置は、充填プロセス中に、伸長した投与ニードルを含んでいなくてもよいことが意図されている。）
【図１１】本発明の実施形態による、充填インジケータディスプレイおよび独立したＬＥＤインジケータを有するウェアラブル自動インジェクタの斜視図
【図１２】本発明の実施形態による、充填インジケータディスプレイおよび独立したＬＥＤインジケータを有するウェアラブル自動インジェクタの斜視図
【図１３】本発明の実施形態による、ビューイングウィンドウ内で位置合わせされた視覚的識別部が満位置にある状態のビューイングウィンドウを有するウェアラブル自動インジェクタの側面図
【図１４】本発明の実施形態による、ビューイングウィンドウ内で位置合わせされた視覚的識別部が空位置にある状態のビューイングウィンドウを有するウェアラブル自動インジェクタの側面図
【図１５】本発明の実施形態による、視覚的識別部が空位置にあり、かつビューイングウィンドウ内で位置合わせされている状態の、薬剤容器の一部に取り付け可能である視覚的識別部コネクタを備えたウェアラブル自動インジェクタハウジングの正面断面図
【図１６】本発明の実施形態による、ウェアラブル自動インジェクタ内への収納のための薬剤容器の斜視図（薬剤容器は、それに取り付け可能である視覚的識別部を有する。）
【図１７】本発明の実施形態による、視覚的識別部が、満位置にあり、かつビューイングウィンドウ内で位置合わせされている状態の、薬剤容器の一部に取り付け可能である視覚的識別部コネクタを備えたウェアラブル自動インジェクタハウジングの正面断面図
【図１８】本発明の実施形態による、視覚的識別部が空位置にある状態の、視覚的識別部および変形可能材料を備えたウェアラブル自動インジェクタハウジングの正面断面図
【図１９】本発明の実施形態による、視覚的識別部が満位置にあり、かつ変形可能材料が圧縮位置にある状態の、視覚的識別部および変形可能材料を備えたウェアラブル自動インジェクタハウジングの正面断面図
【図２０】本発明の実施形態による、視覚的識別部が空位置にある状態の、偏向可能部材を含む視覚的識別部を備えたウェアラブル自動インジェクタハウジングの正面断面図
【図２１】本発明の実施形態による、視覚的識別部が満位置にある状態の、偏向可能部材を含む視覚的識別部を備えたウェアラブル自動インジェクタハウジングの正面断面図
【図２２】本発明の実施形態による、薬剤容器および偏向可能部材の分解斜視図
【図２３】本発明の実施形態による、薬剤容器と偏向可能部材の組み付け斜視図
【００１８】
類似の参照符号は、いくつかの図において、対応する部材を示す。本願明細書に記載された例証は、本開示の例示的な実施形態を示し、また、このような例証は、どのような形にしろ、本開示の範囲を限定するものと解釈すべきではない。
【発明を実施するための形態】
【００１９】
本発明は、さまざまな代替的適応を想定できるため、空間を示す用語または方向を示す用語、たとえば「左の」、「右の」、「内側の」、「外側の」、「上の」、「下の」などは、本発明を限定するものと見なすべきではない。
【００２０】
本明細書およびクレームで用いられているすべての数字は、どのような場合においても、「約」という用語によって変更されるものと理解すべきである。「約」については、記述されている値のプラスまたはマイナス１０パーセントの範囲を意味するものとする。「ａ」、「ａｎ」、および「ｔｈｅ」という単数形は、文脈上特に明記されていない限り、複数の指示対象を含むものとする。
【００２１】
「第一の」および「第二の」などの用語は、任意の特定の順序または時系列を指すことは意図していないが、異なる状態、特性または要素を指している。「少なくとも」については、「〜より大きいかまたは〜と等しい」を意味するものとする。「〜より大きくない」については、「〜より小さいかまたは〜に等しい」を意味するものとする。
【００２２】
〔投与システム〕
図１を参照すると、医薬組成物、たとえば何らかの所望の薬剤または治療薬の患者への投与のための投与システム１０は、一回分の服用量の医薬組成物を患者に投与するように構成された投与装置２０、たとえばウェアラブル自動インジェクタと、投与装置２０と情報をやりとりする通知装置３０と、を有していてもよい。通知装置３０は、投与装置２０の少なくとも一つの特性の状態に関する情報を伝えるように構成できる。
【００２３】
いくつかの実施例において、通知装置３０は、投与装置２０と無線で電子的に情報をやりとりしてもよい。他の実施例では、通知装置３０は、投与装置２０と有線で電子的に情報をやりとりしてもよい。通知装置３０と投与装置２０とが無線接続されているいくつかの実施例においては、通知装置３０を、投与装置２０と受動的に一方向で情報をやりとりするために構成してもよく、この場合、通知装置３０は、投与装置２０に関する何らかの特徴を制御することなく、投与装置２０の少なくとも一つの特性の状態に関する情報を伝えるように構成される。通知装置３０と投与装置２０とが無線接続されている他の実施例においては、通知装置３０を、投与装置２０と双方向で情報をやりとりするために構成してもよく、この場合、通知装置３０は、投与装置２０の少なくとも一つの特性の状態に関する情報をやりとりするとともに、投与装置２０の少なくとも一つの特徴、たとえば有効化、リセット機能などを制御するように構成される。
【００２４】
通知装置３０は、少なくとも一つのインジケータを有していてもよい。少なくとも一つのインジケータは、視覚的インジケータ、可聴的インジケータ、触感的インジケータ、またはこれらの組合せであってもよい。投与装置２０および／または通知装置３０は、一回分の服用量の医薬組成物が患者に投与された後に廃棄可能であってもよい。いくつかの実施例において、投与装置２０は、一回分の服用量の医薬組成物が患者に投与された後に廃棄可能であってもよく、一方、通知装置３０は、別の投与装置２０に対して再利用可能であってもよい。
【００２５】
〔投与装置〕
図２、図３を参照すると、投与装置２０は、いくつかの実施例において、ウェアラブル自動インジェクタ、たとえばインスリンまたは骨髄刺激薬投与装置であってもよい。使用時に、医薬組成物、たとえば何らかの所望の薬剤が入っている投与装置２０は、患者の皮膚上に取付けられ、医薬組成物を患者に注入するように起動される。投与装置２０は、医薬組成物を事前に充填することができ、または、装置は、使用前に、患者または医療専門家が医薬組成物を充填してもよい。
【００２６】
投与装置２０は、一回分の服用量の医薬組成物、たとえば何らかの所望の薬剤を、皮下注射により、制御された低速の注入によって患者の体内に投与するように構成されている。投与装置２０により実現される、投与の例示的な持続時間は、約５分から約６０分の範囲とすることができるが、この例示的な範囲に限定されるものではない。投与装置２０によって投与される医薬組成物の例示的な容量は、約０．１ミリリットルから約１０ミリリットルの範囲とすることができるが、この例示的な範囲に限定されるものではない。患者に投与される医薬組成物の容量は、調節できる。
【００２７】
引き続き図２、図３を参照すると、投与装置２０は、患者の皮膚に固定可能な皮膚パッド５０を備えるハウジング４０を有している。皮膚パッド５０は、投与装置２０を患者の皮膚に接着接続するための接着剤を有していてもよい。ハウジング４０は、ハウジング４０内に移動可能に設けられた注射アセンブリ（図示せず）を有している。注射アセンブリは、患者への挿入のための皮下注射針６０（図６Ｂ）を有している。注射アセンブリは、注射針６０がハウジング４０の外部に突き出ない引退位置と、注射針６０を患者の体内に挿入できるように、注射針６０がハウジング４０の外部に突き出て皮膚パッド５０を貫通する伸長位置との間で、注射針６０を動かすために構成されている。注射針６０は、医薬組成物が患者に投与された後に、および患者の体からの投与装置２０の取外しの前に、伸長位置から引退位置まで引退可能にすることができる。注射針６０を可視化するために、ウィンドウ６５または他のインジケータを、ハウジング４０に設けてもよい。
【００２８】
引き続き図２、図３を参照すると、投与装置２０は、内部薬剤容器、たとえば一定量の薬剤または治療薬を保持するためにハウジング４０内に設けられた貯蔵バッグ３０６（図１５）を有している。薬剤または治療薬は、注射アセンブリの投与機構により、容器から注射針６０を介して投与できる。
【００２９】
本開示の投与装置２０は、ユーザまたは患者が、内部薬剤容器３０６の状態を観察することを可能にしている。たとえば本開示の投与装置は、充填確認および／または投与確認を表示するシンプルで有効な視覚的手段を備えている。図１３から図２３を参照すると、例示的な実施形態において、本開示の投与装置３００は、一回分の服用量の薬剤を患者またはユーザに投与するように構成されている。投与装置３００は、一般に、ビューイングウィンドウ３０４と、ハウジング３０２内に配置され、薬剤または治療薬を中に収容するための薬剤容器３０６、たとえば貯蔵バッグと、ビューイングウィンドウ３０４の一部と位置合わせされた視覚的識別部３０８と、を含むハウジング３０２を含み、この場合、ビューイングウィンドウ３０４に対する視覚的識別部３０８の位置は、容器３０６内の薬剤の容量に依存する。
【００３０】
このようにして、投与装置のユーザは、容器３０６の状態を容易に観察できる。
たとえば専門家は、何らかの薬剤が容器３０６に収容されているか否か、どのくらいの薬剤が容器３０６に収容されているか、容器３０６が空で、薬剤を充填する必要があるか否か、および／または容器３０６に薬剤が充填されていて、患者が使用する準備ができているか否か、または、薬剤が容器３０６から患者に既に十分に投与されているか否か、を容易に判断できる。
【００３１】
図１０Ａから図１０Ｃおよび図１５から図２１を参照すると、一つの実施形態において、容器３０６は、投与装置２０のハウジングの少なくとも一部に設けられたビューイングウィンドウ２８０を介して、少なくとも部分的に可視的になっている少なくとも一つの伸縮部２９０を含む。いくつかの構成において、容器３０６全体は、膨張可能であってもよい。たとえば容器３０６は、流体薬剤が容器３０６内に充填されるにつれてサイズが膨らむ可撓性材料から形成できる。必要に応じて、容器３０６は、それに一体形成された視覚的インジケータを有していてもよい。一つの実施形態において、容器３０６は、ビューイングウィンドウ２８０内での容器３０６の位置が容易に識別できるように、視覚的にはっきりした色、たとえば蛍光緑色材料を有する材料で形成できる。このようにして、容器３０６が空の場合、ビューイングウィンドウ２８０を通して見えている貯蔵バッグ２９０の着色帯は、空のインジケータラインに隣接して位置する直線またはほぼ直線になっているように見える。また、容器３０６が充填されて膨張する際、容器３０６の幅が増加して、それにより、ビューイングウィンドウ２８０を通して見えている容器３０６の着色帯は、フルインジケータラインに隣接する箇所まで伸びる幅広の帯になっているように見える。他の構成においては、貯蔵バッグ２９０の着色帯は、空位置では、ビューイングウィンドウ２８０内の第一の位置に設けることができ、また、満位置では、ビューイングウィンドウ２８０内の第二の位置に設けることができる。
【００３２】
他の構成において、視覚的識別部は、容器３０６の少なくとも一部に型打ちするか、または塗布してもよい。視覚的識別部は、ラインまたは他のはっきりしたパターニングの形態であってもよく、代替的には、容器３０６全体が、視覚的識別部、たとえば容器３０６の全体の色を含んでいてもよい。
【００３３】
一つの実施形態において、着色帯は、パッド印刷、ロール印刷、接着パッチ取付け、または他の同様のプロセスによって、容器３０６に付加してもよい。一つの実施形態においては、容器３０６の色の付いた縁部に対する視認を可能にするために、投与装置２０の上部カバーにウィンドウを付加してもよい。一つの実施形態において、このことは、上部カバーのある程度の領域を見えなくし、およびカバーの他の領域内のウィンドウを介して見えるようにする、透明な上部カバーへのオーバープリンティングもしくはオーバーラベリング、透明な領域と不透明な領域とを上部カバーに形成する多色成形、または、ウィンドウ用の穴を有する不透明なカバーを成形したのちに透明なウィンドウ部を後処理工程として組み込む方法、により行われる。また、ウィンドウのない不透明な上部カバーを形成し、後処理工程を介して、ウィンドウ用の穴を切断することも想定され、その後、ウィンドウを当該位置に付加できる。
【００３４】
一つの実施形態において、容器３０６は、視覚的にはっきりした色を有する材料で形成できる。たとえば特定の色は、より有利である可能性があり、および容器３０６の状態および／または状況の可視性を向上させることができる。また、システムの内部または外部への照明の付加も、可視性を向上させるのに利用できる。ウィンドウ領域は、容器３０６の充填状態と非充填状態との間の区別を支援するために、網状にしてもよい。
【００３５】
一つの実施形態において、容器３０６全体または容器３０６のかなりの部分は、容器３０６、たとえば貯蔵バッグのビューイングウィンドウ２８０内での位置が容易に識別可能であるように視覚的にはっきりした色、たとえば蛍光緑色材料を有する材料で形成してもよい。他の構成では、視覚的識別部３０８は、容器３０６の少なくとも一部に型打ちするか、または塗布してもよい。視覚的識別部３０８は、ラインまたは他のはっきりしたパターニングの形態であってもよく、代替的には、容器３０６全体が、視覚的識別部３０８、たとえば容器３０６の全体の色を含んでいてもよい。容器３０６内に供給される薬剤の特定の性質によっては、遮光性の容器３０６を設けることが望ましい可能性がある。
【００３６】
図１３および図１４を参照すると、本開示の独立した視覚的識別部３０８は、容器３０６が空である空位置（図１４）と、容器３０６が満たされている満位置（図１３）との間で、投与装置３００のハウジング３０２のビューイングウィンドウ３０４に対して移動可能である。図１３および図１４を参照すると、一つの実施形態においては、容器３０６が充填されるにつれて、容器３０６は膨張する。一つの実施形態において、容器３０６の上部は、たとえば図１５および図１７に図示されているように、ハウジング３０２の上部によって拘束されているため、容器３０６は、充填されるにつれて、下方に向かって強制的に膨張する。容器３０６が下方向へ押しやられる際に、独立した視覚的識別部３０８も、容器３０６の重量によって下方向に押しやって、視覚的識別部３０８を第一の位置から、容器３０６内の薬剤の量を示す第二の位置へ移行させることができる。本願明細書においては、視覚的識別部３０８の位置は、薬剤の充填中および投与中の両方において変化しうることに留意されたい。この構成においては、容器３０６の内容物が患者に投与される際に、容器３０６の重量が少なくなるにつれて、視覚的識別部３０８は、第一の位置から第二の位置へ上方向に移行できる。
【００３７】
図１３および図１４を参照すると、一つの実施形態において、ビューイングウィンドウ３０４は、ハウジング３０２の側壁に配設されている。他の実施形態においては、図３を参照すると、ビューイングウィンドウ２００は、投与装置２０のハウジング４０の上壁に配設できる。他の代替的な実施形態においては、本開示のビューイングウィンドウは、ユーザまたは患者が、容器の状態を観察することを可能にするように、他の方向性で構成してもよい。充填インジケータ７０は、容器内の医薬組成物の容量を示す付属の印を有していてもよい。いくつかの実施例において、投与装置２０は、各容器が同一のまたは異なる医薬組成物を収容している複数の容器を有していてもよい。
【００３８】
図１０Ａ、図１１を参照すると、別の例示的な実施形態においては、投与装置２０は、満／空の状態の前、部分的充填／投与状態、および充填状態を示す充填ラインディスプレイを含むビューイングウィンドウまたは充填インジケータディスプレイ２７０を有していてもよい。このようにして、専門家は、もしあるなら、どのくらい、薬剤が容器３０６内に供給されているかを容易に識別できる。この構成では、投与装置２０のハウジング上の印は、容器３０６内の薬剤の量を一時にユーザおよび／または患者に示すために、容器の視覚的識別部と位置合わせできる。
【００３９】
図１５から図１７を参照すると、別の例示的な実施形態において、コネクタ３１２は視覚的識別部３０８を含み、コネクタ３１２は、容器３０６の一部に取り付け可能になっている。一つの実施形態において、コネクタ３１２は、容器３０６の密封縁部に取り付け可能になっている。コネクタ３１２は、たとえば容器の貼合部に沿って、容器３０６の一部に固定できるインジケータクリップを含んでいてもよい。コネクタ３１２は、容器３０６が空である空位置（図１５）と、容器３０６が満たされている満位置（図１７）との間で、投与装置３００のハウジング３０２のビューイングウィンドウ３０４に対して移動可能にできる。ビューイングウィンドウ３０４内での動きは、容器３０６の内容物の容量をユーザに示す。
【００４０】
図１５および図１７を参照すると、一つの実施形態において、容器３０６が充填されるにつれて、容器は膨張する。一つの実施形態においては、容器３０６の上部が、ハウジング３０２の上部によって拘束されているため、容器３０６は、充填されるにつれて、強制的に下方へ膨張する。容器３０６が充填されるにつれて、コネクタ３１２は下方へ移動し、およびその動きは、ハウジング３０２のビューイングウィンドウ３０４内に視認できる。
【００４１】
図１８、図１９を参照すると、別の例示的な実施形態において、視覚的識別部３０８が、ハウジング３０２内の、容器３０６と変形可能材料３２０との間に設けられている。変形可能材料３２０は、図１８に図示されているように、容器３０６を支持し、かつ、視覚的識別部３０８の一定の初期位置、元の状態、または空位置を表示するように、作用する。
【００４２】
一つの実施形態において、変形可能材料は、発泡材料、たとえば低密度発泡材料である。容器３０６に薬剤が充填されるにつれて、容器３０６の重量が、変形可能材料３２０を圧縮する。堅固な構成要素３２２、たとえばプラスチック補強材の形態の視覚的識別部３０８は、ビューイングウィンドウ３０４を介した容器３０６内の内容物の容量の可視化を可能にするために、たとえば容器３０６の充填中に、視覚的識別部３０８が、ビューイングウィンドウ３０４の一部を介して視認できるように、ハウジング３０２内の、容器３０６と変形可能材料３２０との間に設けることができる。堅固な構成要素３２２は、容器３０６が空である空位置（図１８）と、容器３０６が満たされている満位置（図１９）との間で、投与装置３００のハウジング３０２のビューイングウィンドウ３０４に対して移動可能である。容器３０６が充填されるにつれて、容器３０６は膨張する。一つの実施形態においては、容器３０６の上部は、たとえば図１８および図１９に図示されているように、ハウジング３０２の上部によって拘束されているため、容器３０６は、充填されるにつれて、強制的に下方に向かって膨張する。容器３０６が充填されるにつれて、堅固な構成要素３２２は下方へ移動し、その動きは、ハウジング３０２のビューイングウィンドウ３０４内で視認できる。容器３０６が薬剤を吐出するにつれて、容器３０６は収縮して、変形可能材料３２０が膨張し、それにより、堅固な構成要素３２２を上方へ動かす。堅固な構成要素３２２が空位置にある状態で（図１８）、変形可能材料３２０は元の状態にあり、また、堅固な構成要素３２２が満位置にある状態で（図１９）、変形可能材料３２０は圧縮されている。
【００４３】
図２０から図２３を参照すると、別の例示的な実施形態において、視覚的識別部３０８は、偏向可能部材３３０を含んでいる。一つの実施形態において、視覚的識別部３０８は、長い補強材などのフレキシブルカンチレバーである。一つの実施形態において、偏向可能部材３３０は、投与装置３００のハウジング３０２のビューイングウィンドウ３０４に対する、視覚的識別部３０８のより大きな範囲の動きを可能にしている。図２０および図２１を参照すると、本開示の偏向可能部材３３０は、容器３０６が空である空位置（図２０）と、容器３０６が満たされている満位置（図２１）と、の間で、投与装置３００のハウジング３０２のビューイングウィンドウ３０４に対して移動可能である。容器３０６が充填されるにつれて、容器３０６が膨張する。一つの実施形態においては、容器３０６の上部は、たとえば図２０および図２１に図示されているように、ハウジング３０２の上部によって拘束されているため、容器３０６は、充填されるにつれて、強制的に下方に向かって膨張する。容器３０６が充填されるにつれて、偏向可能部材３３０が下方へ移動し、その動きは、ハウジング３０２のビューイングウィンドウ３０４内で視認できる。容器３０６に薬剤が充填されるにつれて、容器３０６は、膨張して、偏向可能部材３３０の一端、たとえば第一の端部３３２を下方へ偏向させる。一つの実施形態において、容器３０６が薬剤を吐出するにつれて、容器３０６は収縮し、偏向可能部材３３０の一端、たとえば第一の端部３３２は、元の位置へ戻る。図２０、図２１に図示されているように、偏向可能部材３３０の第一の端部３３２は、容器３０６内の内容物の容量をユーザに示すために、ビューイングウィンドウ３０４を介して見えるようにしてもよい。
【００４４】
図２２および図２３を参照すると、偏向可能部材３３０は、たとえば偏向可能部材３３０の一端において、接着剤３３４を介して容器３０６に固定できる。他の実施形態では、同様の固着機構を、偏向可能部材３３０を容器３０６に固定するのに用いてもよい。
【００４５】
他の構成においては、本願明細書において、視覚的識別部が視認可能なパターンの形態であってもよいことが予想される。必要に応じて、視覚的識別部の視認性を高めるために、視覚的識別部および／または可視化ウィンドウを覆う拡大鏡を設けてもよい。
【００４６】
図２、図３を参照すると、投与装置２０は、少なくとも一つのインジケータ９０も有していてもよい。少なくとも一つのインジケータ９０は、視覚的インジケータ、可聴的インジケータ、触感的インジケータ、または、これらの組合せであってもよい。たとえば少なくとも一つのインジケータ９０は、たとえば、限定するものではないが、圧電ブザーなどのスピーカー、および／または発光ダイオード（ＬＥＤ）ライトなどのライトであってもよい。ＬＥＤは、マルチカラーＬＥＤであってもよい。いくつかの実施例においては、同じカラーまたは異なるカラーの複数のＬＥＤを設けてもよい。図１２を参照すると、ＬＥＤは、患者が視認しやすいように、投与装置２０の上面に設けてもよい。ＬＥＤは、患者の利益のために、ＬＥＤのカラーを変えることにより、ＬＥＤが点滅する速さを変えることにより、または、点滅と不断のＬＥＤ信号との移行を介して、いくつかの薬剤投与ステップおよび／またはエラーメッセージを経るように構成してもよい。ＬＥＤは、たとえば患者への不適切な取付け、ドラッグ放出機構における閉塞、バッテリーの残量不足の警告などの装置に関するエラーを示すように構成してもよい。また、ＬＥＤは、患者に投与終了の指標を示すように構成してもよい。必要に応じて、複数方向からの視認を最適化するために、複数のインジケータ９０、たとえば複数のＬＥＤを、投与装置２０の両側面に設けてもよい。
【００４７】
他の実施例では、少なくとも一つのインジケータ９０は、ディスプレイスクリーンである。少なくとも一つのインジケータ９０は、投与装置２０の状態、たとえば、限定するものではないが、投与装置２０が医薬組成物を患者に投与中であること、薬剤の投与が完了したこと、および／または投与装置２０が通知装置３０とペアリングされたか否か、などに関する情報を提供できる。投与装置２０の状態に関する他のさまざまな情報を、少なくとも一つのインジケータ９０によって提供してもよい。少なくとも一つのインジケータ９０は、電源（図示せず）、たとえばバッテリーによって電力を供給されうる。
【００４８】
他の構成においては、本願明細書において、視覚的インジケータに関する高い視認能力を付与するために、および／または投与装置２０自体の状態を示すために、ビューイングウィンドウ２００にもＬＥＤを設けてもよいことが予想される。
【００４９】
投与装置２０は、一つ以上のユーザ入力装置１００、たとえば一つ以上のボタンを有していてもよい。一つ以上のユーザ入力装置１００は、投与装置２０を構成するために、たとえば、限定するものではないが、投与装置２０を通知装置３０と無線接続するために、および／または投与装置２０を作動させるために、用いることができる。いくつかの構成において、投与装置２０は、ＬＥＤなどのインジケータ９０が、半透明または部分的に半透明のボタンを介して視認可能であるように、一つ以上の入力装置１００、たとえば半透明または少なくとも部分的に半透明である一つ以上のボタンを含んでいてもよい。
【００５０】
投与装置２０は、無線通信回路１１０、たとえば、限定するものではないが、Ｗｉ−Ｆｉ（登録商標）モジュール、Ｂｌｕｅｔｏｏｔｈ（登録商標）モジュール、近距離無線通信（ＮＦＣ）モジュール、またはたとえば図９に関連して示されている他の無線通信回路を有する。無線通信回路１１０は、投与装置２０が、一つ以上の他の電子装置、たとえば通知装置３０または他の装置と無線接続によって情報をやりとりできるように構成されている。無線接続は、任意のＷｉ−Ｆｉ接続、Ｂｌｕｅｔｏｏｔｈ接続、ＮＦＣ接続、または、他の無線接続とすることができる。無線通信回路１１０は、投与装置２０によって送信される無線信号の範囲内で一つ以上の他の電子装置と自動的にペアリングされるように構成できる。
【００５１】
いくつかの実施例において、無線通信回路１１０は、一つ以上の他の電子装置、たとえば通知装置３０または他の装置と、一方向で情報をやりとりするように構成される。一つ以上の電子装置との一方向での情報のやりとりは、投与装置２０の少なくとも一つの特性に関する情報、たとえば、限定するものではないが、投与装置２０の投与状態、投与装置２０の最大容量、投与装置２０が一つ以上の他の電子装置とペアリングされているか否か、および／または患者に投与されている医薬組成物の種類、を伝えることを含んでいてもよい。
【００５２】
他の実施例では、無線通信回路１１０は、一つ以上の他の電子装置、たとえば通知装置３０または他の装置との双方向通信を実行できるように構成される。一つ以上の電子装置との双方向の情報のやりとりは、限定するものではないが、投与装置２０の少なくとも一つの特性に関する情報、たとえば、限定するものではないが、投与装置２０の投与状態、投与装置２０の最大容量、投与装置２０が一つ以上の他の電子装置とペアリングされたか否か、および／または患者に投与されている薬剤の種類、をやりとりすることと、一つ以上の電子装置から情報を受信することとを含んでもよい。いくつかの実施例において、一つ以上の電子装置から情報を受信することは、投与装置２０の少なくとも一つの特徴、たとえば投与装置２０の投与状態を制御するための制御信号を含んでもよい。
【００５３】
〔通知装置〕
図４を参照すると、通知装置３０の一つの例示的かつ非限定的な実施形態が図示されている。図４に示す実施例において、通知装置３０は、ストラップ部１２０およびディスプレイ部１３０を有するリストバンドとして具体化されている。ストラップ部１２０は、ユーザの手首Ｗの周りに取付けられるように構成されている。他の実施例では、通知装置３０は、投与装置２０と無線で通信して、投与装置２０の少なくとも一つの特性に関する情報、たとえば、限定するものではないが、投与装置２０の投与状態、投与装置２０の充填容量、投与装置２０が通知装置３０とペアリングされたか否か、および／または患者に投与されている医薬組成物の種類、をやりとりするために構成されたキーホルダー、ペンダント、パッチ、リング、ネックレス、または他の何らかのウェアラブルまたは非ウェアラブルの装置とすることができる。
【００５４】
図５Ａから図５Ｄを参照すると、通知装置３０のディスプレイ部１３０は、少なくとも一つのインジケータ１４０を有している。少なくとも一つのインジケータ１４０は、視覚的インジケータ、可聴的インジケータ、触感的インジケータ、または、これらの組合せであってもよい。たとえば少なくとも一つのインジケータ１４０は、たとえば、限定するものではないが、圧電ブザーなどのスピーカー、および／または発光ダイオード（ＬＥＤ）ライトなどのライトであってもよい。ＬＥＤは、マルチカラーＬＥＤであってもよい。いくつかの実施例においては、同じカラーまたは異なるカラーの複数のＬＥＤを設けてもよい。たとえば図５Ａにおいては、通知装置３０は、使用前の初期構成で図示されている。図５Ｂにおいては、通知装置３０は作動されており、また、第一のＬＥＤが視認可能であり、かつ、ディスプレイの第一の部分の周りに及んで点灯されており、投与装置２０の第一の期間の有効化、たとえば第一の所定量の薬剤の投与を示している。図５Ｃでは、第二のＬＥＤが視認可能であり、かつ、ディスプレイの第二の部分の周りに及んで点灯されており、投与装置２０の第二の部分の有効化、たとえば第二の所定量の薬剤の投与を示している。図５Ｄにおいては、第三のＬＥＤが視認可能であり、かつ、ディスプレイの第三の部分の周りに及んで点灯されており、投与装置２０の第三の部分の有効化、たとえば第三の所定量の薬剤の投与を示している。
【００５５】
他の実施例において、少なくとも一つのインジケータ１４０は、ディスプレイスクリーンである。少なくとも一つのインジケータ１４０は、投与装置２０および／または通知装置３０の状態に関する情報、たとえば、限定するものではないが、投与装置２０が医薬組成物を患者に投与していること、薬剤の吐出が完了していること、投与装置２０が通知装置３０とペアリングされていること、および／または患者に投与されている医薬組成物の種類、を提供できる。投与装置２０および／または通知装置３０の状態に関するさまざまな他の情報は、少なくとも一つのインジケータ１４０によって提供できる。少なくとも一つのインジケータ１４０は、バッテリーなどの電源（図示せず）によって電力を供給されうる。
【００５６】
通知装置３０は、一つ以上のユーザ入力装置１５０、たとえば一つ以上のボタンを有していてもよい。一つ以上のユーザ入力装置１５０は、通知装置３０の設定を行うために、たとえば、限定するものではないが、通知装置３０と投与装置２０とを無線接続するために、および／または通知装置３０を作動させるために、用いることができる。
【００５７】
通知装置３０は、無線通信回路１６０、たとえばＷｉ−Ｆｉモジュール、Ｂｌｕｅｔｏｏｔｈモジュール、近距離無線通信（ＮＦＣ）モジュール、または、他の無線通信回路を有する。無線通信回路１６０は、通知装置３０が、一つ以上の他の電子装置、たとえば投与装置２０または他の装置と無線接続によって情報をやりとりできるように構成されている。無線接続は、任意のＷｉ−Ｆｉ接続、Ｂｌｕｅｔｏｏｔｈ接続、ＮＦＣ接続、または、他の無線接続とすることができる。無線通信回路１６０は、通知装置３０によって送信される無線信号の範囲内で一つ以上の他の電子装置と自動的にペアリングされるように構成できる。
【００５８】
いくつかの実施例において、無線通信回路１６０は、一つ以上の他の電子装置、たとえば投与装置２０または他の装置と、一方向で情報をやりとりするように構成される。一つ以上の電子装置との一方向での情報のやりとりは、投与装置２０の少なくとも一つの特性に関する情報、たとえば、限定するものではないが、投与装置２０の投与状態、投与装置２０の最大容量、通知装置３０が投与装置２０とペアリングされているか否か、などを含んでいてもよい。他の実施例では、無線通信回路１６０は、一つ以上の他の電子装置、たとえば投与装置２０または他の装置との双方向通信を実行できるように構成される。一つ以上の電子装置との双方向の情報のやりとりは、投与装置２０の少なくとも一つの特性を受信することと、投与装置２０に情報を送信することと、を含んでもよい。いくつかの実施例において、投与装置２０に情報を送信することは、投与装置２０の少なくとも一つの特徴、たとえば投与装置２０の投与状態を制御するための制御信号を送信することを含んでもよい。
【００５９】
一つ以上の実施例において、通知装置３０は、通知装置３０を制御するために、ならびに／または、通知装置３０および／もしくは投与装置２０に関する状態情報を送信するために、無線接続によって別の電子装置（たとえば電話、ラップトップ、タブレットなど）に接続してもよい。
【００６０】
いくつかの実施例において、通知装置３０は、有線接続により、投与装置２０と機械的におよび／または電気的に接続してもよい。
【００６１】
〔投与システムの使用方法〕
投与システム１０の構造について説明してきたが、次に、投与システム１０を用いて、一回分の服用量の医薬組成物を患者に投与する方法について、図６Ａから図９を参照して説明する。
【００６２】
〔設定〕
患者または医師は、投与装置２０をパッケージ１７０から取出す。いくつかの実施例において、パッケージから投与装置２０を取出すと、自動的に投与装置２０を準備状態で作動できる。他の実施例では、投与装置２０は、パッケージからの取出しの後に一つ以上のユーザ入力装置１００、１５０を押すことによって作動させることができる。いくつかの実施例において、患者または医師は、患者に投与すべき目的の一回分の服用量の医薬組成物を設定できる。
【００６３】
投与装置２０および通知装置３０は、最初は「オフ」状態になっている。患者または医師は、一つ以上のユーザ入力装置１００、１５０をそれぞれ作動させることにより、たとえば一つ以上のボタンを所定時間、たとえば約１秒間押すことにより、投与装置２０および通知装置３０を作動させる。投与装置２０上の少なくとも一つのインジケータ９０は、投与装置２０のスイッチが既に入っていることを示すことができる。たとえば投与装置２０上のＬＥＤライトは、所定間隔で、たとえば１秒間隔で黄色に点滅させてもよく、また、スピーカーが作動音を出してもよい。同様に、通知装置３０上の少なくとも一つのインジケータ１４０は、通知装置３０のスイッチが既に入っていることを示すことができる。たとえば通知装置３０上のＬＥＤライトは、所定間隔で、たとえば０．５秒間隔で緑色に点滅させてもよく、また、スピーカーが作動音を出してもよい。
【００６４】
〔ペアリング〕
投与装置２０および通知装置３０は、作動時に、それぞれの無線通信回路１１０、１６０を作動させて、投与装置２０と通知装置３０とを自動的にペアリングできる。無線通信回路１１０、１６０は、投与装置２０の範囲内にある通知装置３０が、その間に、投与装置２０とペアリングされるであろう所定の時間の間、たとえば約７５秒間、作用していてもよい。いくつかの実施例において、通知装置３０は、ペアリングに関するアウトオブバンド（ＯＯＢ）法を用いてもよい。ペアリングされた場合、投与装置２０上の少なくとも一つのインジケータ９０と、通知装置３０上の少なくとも一つのインジケータ１４０とは、通知装置３０と投与装置２０の良好なペアリングを示すことができる。たとえば投与装置２０上のＬＥＤは消灯されてもよく、一方、通知装置３０上のＬＥＤライトは、所定間隔で、たとえば０．５秒間隔で緑色に点滅させてもよい。通知装置３０と投与装置２０とが、所定期間内にペアリングされていない場合は、通知装置３０および投与装置２０は、スタンバイモードになる。
【００６５】
〔充填および初期化〕
投与装置２０は、医薬組成物を充填して初期化できる。一旦、所望の一回分の服用量の医薬組成物が充填されて、投与装置２０の準備ができると、投与装置２０上の少なくとも一つのインジケータ９０と、通知装置３０上の少なくとも一つのインジケータ１４０は、投与装置２０が使用できる状態になっていることを示すことができる。いくつかの実施形態において、および図１０Ａから図１０Ｃを具体的に参照すると、医薬組成物の容器３０６は、投与装置２０のハウジングの少なくとも一部に設けられたビューイングウィンドウ２８０を介して少なくとも部分的に視認可能になっている貯蔵バッグであってもよい。たとえば容器３０６は、流体薬剤が容器３０６内に充填される際にサイズが膨張する可撓性材料から形成してもよい。必要に応じて、容器３０６は、それと一体形成された視覚的インジケータを有していてもよい。一つの実施形態において、容器３０６は、ビューイングウィンドウ２８０内での容器３０６の位置が容易に識別可能であるように、視覚的にはっきりした色、たとえば蛍光緑色材料を有する材料で形成してもよい。他の構成においては、視覚的識別部は、容器３０６の少なくとも一部に型打ちするか、または塗布してもよい。視覚的識別部は、ラインまたは他のはっきりしたパターニングの形態であってもよく、代替的には、容器３０６全体が、視覚的識別部、たとえば容器３０６の全体の色を含んでいてもよい。容器３０６内に供給される薬剤の特定の性質によっては、遮光性の容器３０６を設けることが望ましい可能性がある。
【００６６】
図１０Ａから図１０Ｃに具体的に図示されているように、投与装置２０は、投与装置２０内に設けられた容器３０６の、満／空の状態の前、部分的充填／投与状態、および充填状態を示す充填ラインディスプレイを含む充填インジケータディスプレイ２７０を有していてもよい。この構成では、ビューイングウィンドウ２８０内での貯蔵バッグ２９０の位置は、薬剤の充填中および投与中の両方の装置の充填の状態を示すために、充填インジケータディスプレイ２７０の少なくとも一つのインジケータと一致させることができる。容器３０６は、水平ラインなどの容易に識別可能な視覚的識別部を含むため、充填プロセスまたは空にするプロセス中の容器３０６内に設けられた薬剤の量をユーザに伝えるために、貯蔵バッグなどの容器の位置は、充填インジケータディスプレイ２７０のインジケータと位置合わせできる。
【００６７】
図１０Ａの第一のステップに図示されているように、充填前（または、完全に空）の状態では、容器３０６の視覚的識別部は、充填インジケータディスプレイ２７０の「空」インジケータと位置合わせされて、容器３０６内に認められるほどの薬剤がないことをユーザに知らせている。図１０Ｂの第二のステップに図示されているように、部分的に充填された（または、一部が投与された）状態では、容器３０６の視覚的識別部は、充填インジケータディスプレイ２７０の中間インジケータと位置合わせされて、容器３０６内に、一定量の薬剤があることが確認されたことをユーザに知らせている。図１０Ｃの第三のステップに図示されているように、充填状態においては、容器３０６の視覚的識別部、たとえば貯蔵バッグは、充填インジケータディスプレイ２７０の「満」インジケータと位置合わせされて、装置が、容器３０６内に、一回分の総量の薬剤を有していることをユーザに知らせている。本願明細書においては、容器３０６全体が視覚的識別部として機能する場合、たとえば容器３０６が全体的に対比色を有している場合においては、充填インジケータディスプレイ２７０の個別のインジケータに対する容器３０６自体の位置が、容器３０６内の薬剤の量をユーザに知らせるであろうことも正しく認識されるであろう。
【００６８】
いくつかの実施例においては、一回分の服用量の医薬組成物の投与は、所定期間、たとえば約２７時間、遅延されることが望ましい可能性がある。いくつかの実施例において、医薬組成物の充填容量および事前設定遅延は構成可能であってもよい。投与装置２０上の少なくとも一つのインジケータ９０と、通知装置３０上の少なくとも一つのインジケータ１４０とは、遅延期間の開始時を示すことができる。たとえば通知装置３０上のＬＥＤは、1秒間隔で緑色に点滅してもよい。
【００６９】
図６Ｂ、図６Ｃを参照すると、充填されて準備された投与装置２０は、保護カバー１８０を皮膚パッド５０から取り外して注射針６０を露出させて、皮膚パッド５０を患者の皮膚に適用することにより、患者の体Ｂに適用される。患者または医師は、注射アセンブリを作動させて注射針６０を配置できる。投与装置２０上の少なくとも一つのインジケータ９０と、通知装置３０上の少なくとも一つのインジケータ１４０とは、注射針６０が既に患者の体内に挿入されていることを示すことができる。
【００７０】
〔投与〕
投与装置２０を初期化および充填し、投与装置２０を患者の体に取り付けたとき、投与装置２０は、遅延期間の満了時に医薬組成物の投与を始めることになる。一旦、投与プロセスが始まると、投与装置２０上の少なくとも一つのインジケータ９０と、通知装置３０上の少なくとも一つのインジケータ１４０とは、投与が進行中であることを示すことができる。たとえば通知装置３０上のＬＥＤを、０．５秒間隔で緑色に点滅させてもよい。通知装置３０上のブザーは、投与音を出すことによって、投与処理の開始を示すことができる。投与処理は、投与装置２０上の一つ以上のユーザ入力装置１００が作動されているときに中断されてもよい。いくつかの実施例において、投与処理は、通知装置３０上の一つ以上のユーザ入力装置１５０が作動されているときに中断されてもよい。投与処理は、投与装置２０上の一つ以上のユーザ入力装置１００、および／または通知装置３０上の一つ以上のユーザ入力装置１５０を作動させることによって再び始めることができる。投与装置２０上の少なくとも一つのインジケータ９０と、通知装置３０上の少なくとも一つのインジケータ１４０とは、投与が完了したことを示すことができる。たとえば通知装置３０上のＬＥＤは、緑色に点灯してよい。投与装置２０および通知装置３０は、投与が完了した後に自動的に停止されてもよい。投与が完了した場合、投与装置２０を患者の体から取り外して廃棄できる。通知装置３０は、別の投与装置２０に対して再利用することができ、または、通知装置は、一度の使用後に廃棄してもよい。
【００７１】
いくつかの実施例において、投与装置２０上の少なくとも一つのインジケータ９０と、通知装置３０上の少なくとも一つのインジケータ１４０とは、医薬組成物の投与中にエラーメッセージを示すのに利用できる。
いくつかの実施例において、投与装置２０および／または通知装置３０上のＬＥＤは、赤色で点滅させてもよく、ならびに／または、投与装置２０および／もしくは通知装置３０上のスピーカー／ブザーは、医師に連絡するように患者に指示するために、警告音を発生させてもよい。
【００７２】
いくつかの実施例において、通知装置３０は、無線通信を利用して、通知装置３０および／または投与装置２０の状態をリモート装置、たとえば、限定するものではないが、コンピュータ、ラップトップまたはスマートフォンに伝えることができる（リレーモード）。他の実施例では、通知装置３０は、無線通信を利用して、通知装置３０および／または投与装置２０の状態をクラウドに伝えることができる（セルモード）。
【００７３】
本発明を、現在、最も実用的でかつ好適な実施形態であると考えられることに基づいて、例示のために詳細に説明してきたが、そのような詳細は単に例示目的にすぎないこと、また、本発明は、開示されている実施形態に限定されるものではないが、逆、添付クレームの趣旨および範囲内にある変更例および等価な構成をカバーすることが意図されていることを理解すべきである。たとえば本発明は、可能な限り、任意の実施形態のうちの一つ以上を、任意の他の実施形態の一つ以上の形状構成と組合せることができることを意図していることを理解すべきである。
【図１】
2020527420.tif 000003
【図２】
2020527420.tif 000004
【図３】
2020527420.tif 000005
【図４】
2020527420.tif 000006
【図５Ａ】
2020527420.tif 000007
【図５Ｂ】
2020527420.tif 000008
【図５Ｃ】
2020527420.tif 000009
【図５Ｄ】
2020527420.tif 000010
【図６Ａ】
2020527420.tif 000011
【図６Ｂ】
2020527420.tif 000012
【図６Ｃ】
2020527420.tif 000013
【図６Ｄ】
2020527420.tif 000014
【図７Ａ】
2020527420.tif 000015
【図７Ｂ】
2020527420.tif 000016
【図８Ａ】
2020527420.tif 000017
【図８Ｂ】
2020527420.tif 000018
【図９】
2020527420.tif 000019
【図１０Ａ】
2020527420.tif 000020
【図１０Ｂ】
2020527420.tif 000021
【図１０Ｃ】
2020527420.tif 000022
【図１１】
2020527420.tif 000023
【図１２】
2020527420.tif 000024
【図１３】
2020527420.tif 000025
【図１４】
2020527420.tif 000026
【図１５】
2020527420.tif 000027
【図１６】
2020527420.tif 000028
【図１７】
2020527420.tif 000029
【図１８】
2020527420.tif 000030
【図１９】
2020527420.tif 000031
【図２０】
2020527420.tif 000032
【図２１】
2020527420.tif 000033
【図２２】
2020527420.tif 000034
【図２３】
2020527420.tif 000035
【国際調査報告】
2020527420.tif 000036
2020527420.tif 000037
2020527420.tif 000038